(57)【要約】  【課題】  隣接Ｘ、Ｙ電極間の組合わせを時間的に変え維持放電を行うプラズマディスプレイ装置において、電極駆動回路内の電力回収回路の数を減らす。  【解決手段】  電極駆動回路を、奇数番目のＸ電極、Ｙ電極のそれぞれを駆動する第１の電極駆動回路と、偶数番目のＸ電極、Ｙ電極のそれぞれを駆動する第２の電極駆動回路との間に電力回収回路を設け、該電力回収回路を、第１の電極駆動回路が奇数番目のＸ電極、Ｙ電極を駆動するときと、第２の電極駆動回路が偶数番目のＸ電極、Ｙ電極を駆動するときとで共用が可能な構成とする。該電力回収回路としては、インダクタンス用コイルと、該コイルの上記奇数番目のＸ電極、Ｙ電極及び上記偶数番目のＸ電極、Ｙ電極との接続状態を切替える２つの双方向スイッチとが直列接続された構成とする。【選択図】  図２
2008216895.tif 000002
【特許請求の範囲】
【請求項１】
互いに平行かつ交互に配されたＸ電極とＹ電極との間の維持放電により表示セルを発光させ画像表示を行うプラズマディスプレイ装置の電極駆動回路であって、
複数のＸ電極のうち奇数番目のＸ電極と、複数のＹ電極のうち奇数番目のＹ電極とにそれぞれ維持放電用の駆動電圧を供給し、該両電極を駆動する第１の電極駆動回路と、
複数のＸ電極のうち偶数番目のＸ電極と、複数のＹ電極のうち偶数番目のＹ電極とにそれぞれ維持放電用の駆動電圧を供給し、該両電極を駆動する第２の電極駆動回路と、
上記第１の電極駆動回路の出力端と上記第２の電極駆動回路の出力端との間に接続され、インダクタンスを形成するコイルと、該コイルの上記奇数番目のＸ電極、Ｙ電極及び上記偶数番目のＸ電極、Ｙ電極との接続状態を切替える双方向スイッチとが直列接続されて成り、上記Ｘ電極、Ｙ電極のうち、維持放電を終了した電極からは上記双方向スイッチを通して電荷を上記コイル側に取込み、該取込んだ電荷を、維持放電を開始する電極に対し上記双方向スイッチを通して供給する電力回収回路と、
を備え、上記第１の電極駆動回路が上記奇数番目のＸ電極、Ｙ電極を駆動するときと、上記第２の電極駆動回路が上記偶数番目のＸ電極、Ｙ電極を駆動するときとで上記電力回収回路を共用し電力回収を行う構成としたことを特徴とするプラズマディスプレイ装置の電極駆動回路。
【請求項２】
上記電力回収回路は、上記双方向スイッチが、上記コイルに対し上記第１の電極駆動回路の出力端側に接続される第１の双方向スイッチと、上記コイルに対し上記第２の電極駆動回路の出力端側に接続される第２の双方向スイッチとを備えて成り、該第１、第２の双方向スイッチがそれぞれ、電路をオン・オフするスイッチ部に一方向性のダイオードが並列接続された構成である請求項１に記載のプラズマディスプレイ装置の電極駆動回路。
【請求項３】
上記第１の電極駆動回路は、
上記奇数番目のＸ電極を駆動するＸ電極駆動用の第１の電極駆動回路と、上記奇数番目のＹ電極を駆動するＹ電極駆動用の第１の電極駆動回路とから成り、
上記第２の電極駆動回路は、
上記偶数番目のＸ電極を駆動するＸ電極駆動用の第２の電極駆動回路と、上記偶数番目のＹ電極を駆動するＹ電極駆動用の第２の電極駆動回路とから成り、
上記電力回収回路は、
上記Ｘ電極駆動用の第１の電極駆動回路の出力端と上記Ｘ電極駆動用の第２の電極駆動回路の出力端との間に接続された第１の電力回収回路と、上記Ｙ電極駆動用の第１の電極駆動回路の出力端と上記Ｙ電極駆動用の第２の電極駆動回路の出力端との間に接続された第２の電力回収回路とから成る構成である請求項１または請求項２に記載のプラズマディスプレイ装置の電極駆動回路。
【請求項４】
上記第１の電極駆動回路は、
第１の表示期間では、上記奇数番目のＸ電極と上記奇数番目のＹ電極とに該両電極間で維持放電させる駆動電圧を供給し、第２の表示期間では、上記奇数番目のＹ電極に上記偶数番目のＸ電極との間で維持放電させる駆動電圧を供給するとともに、上記奇数番目のＸ電極に上記偶数番目のＹ電極との間で維持放電させる駆動電圧を供給し、
上記第２の電極駆動回路は、
上記第１の表示期間では、上記偶数番目のＸ電極と上記偶数番目のＹ電極とに該両電極間で維持放電させる駆動電圧を供給し、上記第２の表示期間では、上記偶数番目のＸ電極に上記奇数番目のＹ電極との間で上記維持放電させる駆動電圧を供給するとともに、上記偶数番目のＹ電極に上記奇数番目のＸ電極との間で上記維持放電させる駆動電圧を供給する
構成である請求項１または請求項２に記載のプラズマディスプレイ装置の電極駆動回路。
【請求項５】
上記第１の電極駆動回路の上記奇数番目のＹ電極を駆動するＹ電極駆動用の電極駆動回路は、上記第２の電極駆動回路の上記偶数番目のＸ電極を駆動するＸ電極駆動用の電極駆動回路に共用され、かつ、上記第１の電極駆動回路の上記奇数番目のＸ電極を駆動するＸ電極駆動用の電極駆動回路は、上記第２の電極駆動回路の上記偶数番目のＹ電極を駆動するＹ電極駆動用の電極駆動回路に共用される構成である請求項１または請求項２に記載のプラズマディスプレイ装置の電極駆動回路。
【請求項６】
マトリックス状に配された電極の交点位置に形成される表示セルを電極間の放電により発光させ画像表示を行うプラズマディスプレイ装置であって、
互いに平行かつ交互に配されたＸ電極及びＹ電極と、該両電極と交差して配されたアドレス電極とを有し、該Ｘ電極及び該Ｙ電極と該アドレス電極との交点位置に表示セルが形成された表示パネルと、
画像信号に対応したアドレスパルスで上記アドレス電極を駆動し、発光させる表示セルをアドレスするアドレス回路と、
アドレス時、上記Ｙ電極に接続され、該Ｙ電極にスキャンパルスを順次供給し、該Ｙ電極をスキャン駆動するスキャン駆動回路と、
上記Ｘ電極及び上記Ｙ電極を維持放電用の駆動電圧で駆動し、上記アドレスされた表示セルを維持放電させる電極駆動回路と、
上記アドレス回路、上記スキャン駆動回路及び上記電極駆動回路を制御する制御回路と、
を備えて構成され、
上記電極駆動回路が、
複数のＸ電極のうち奇数番目のＸ電極と、複数のＹ電極のうち奇数番目のＹ電極とにそれぞれ維持放電用の駆動電圧を供給し、該両電極を駆動する第１の電極駆動回路と、
複数のＸ電極のうち偶数番目のＸ電極と、複数のＹ電極のうち偶数番目のＹ電極とにそれぞれ維持放電用の駆動電圧を供給し、該両電極を駆動する第２の電極駆動回路と、
上記第１の電極駆動回路と上記第２の電極駆動回路との間に接続され、インダクタンスを形成するコイルと、該コイルの上記第１、第２の電極駆動回路への接続状態を切替えて該コイルに流れる電流の方向を切替える双方向スイッチとが直列接続されて成り、上記Ｘ電極、Ｙ電極のうち、維持放電を終了した電極からは上記双方向スイッチを通して電荷を上記コイル側に取込み、該取込んだ電荷を、維持放電を開始する電極に対し、上記双方向スイッチを通して供給する電力回収回路と、
を備え、上記第１の電極駆動回路が上記奇数番目のＸ、Ｙ両電極を駆動するときと、上記第２の電極駆動回路が上記偶数番目のＸ、Ｙ両電極を駆動するときとで上記電力回収回路を共用して電力回収を行う構成としたことを特徴とするプラズマディスプレイ装置。
【請求項７】
上記第１の電極駆動回路は、
第１の表示期間では、上記奇数番目のＸ電極と上記奇数番目のＹ電極とに該両電極間で維持放電させる駆動電圧を供給し、第２の表示期間では、上記奇数番目のＹ電極に上記偶数番目のＸ電極との間で維持放電させる駆動電圧を供給するとともに、上記奇数番目のＸ電極に上記偶数番目のＹ電極との間で維持放電させる駆動電圧を供給し、
上記第２の電極駆動回路は、
上記第１の表示期間では、上記偶数番目のＸ電極と上記偶数番目のＹ電極とに該両電極間で維持放電させる駆動電圧を供給し、上記第２の表示期間では、上記偶数番目のＸ電極に上記奇数番目のＹ電極との間で上記維持放電させる駆動電圧を供給するとともに、上記偶数番目のＹ電極に上記奇数番目のＸ電極との間で上記維持放電させる駆動電圧を供給する
構成である請求項６に記載のプラズマディスプレイ装置。
【発明の詳細な説明】
【技術分野】
【０００１】
本発明は、プラズマディスプレイ装置に係り、特に、その電力回収技術に関する。
【背景技術】
【０００２】
近年、ＣＲＴに代わる表示パネルとして実用化されているプラズマディスプレイ装置は、自己発光型のため、視認性が良く、薄型で大画面表示及び高速表示が可能である。このプラズマディスプレイ装置の表示方式には、１つのフィールドで全ての表示ラインを表示するノンインターレース（プログレッシブ）方式と、奇数番目の表示ラインを表示する奇数フィールドと偶数番目の表示ラインを表示する偶数フィールドとを交互に表示するインターレース方式とがある。
【０００３】
また、インターレース方式の一例としては、例えば、特開２００４−３０９９８３号公報（特許文献１）、特許第２８０１８９３号明細書（特許文献２）及び特開平９−１６０５２５号公報（特許文献３）で開示されているＡＬＩＳ（Ａｌｔｅｒｎａｔｅ  Ｌｉｇｈｔｉｎｇ  ｏｆ  Ｓｕｒｆａｃｅ）方式がある。従来のプラズマディスプレイ装置では、対を成す表示電極（Ｘ及びＹ電極）で１表示ラインが形成されるのに対して、このＡＬＩＳ方式では、Ｘ電極とＹ電極の隣接する全ての電極間で表示ラインを形成される。すなわち、Ｘ電極とＹ電極にはそれぞれ別々に、駆動用の電極駆動回路が接続され、奇数番目の電極は例えば第１の電極駆動回路により維持放電パルスが印加され、偶数番目の電極は例えば第２の電極駆動回路により維持放電パルスが印加される。該奇数番目の電極に印加される維持放電パルスと該偶数番目の電極に印加される維持放電パルスは互いに逆相とされる。かかるＡＬＩＳ方式によれば、同数の表示電極数で２倍の表示ライン化を実現できるし、また、同数の表示ライン数を形成しようとする場合には１／２の電極数でそれを実現することができるとされる。ＡＬＩＳ方式のプラズマディスプレイ装置については、特許第２８０１８９３号明細書（特許文献２）に詳細が記載されている。また、特公平７−１０９５４２号公報（特許文献４）には、容量とインダクタンスに基づく共振を利用した電力回収技術について記載されている。
【０００４】
【特許文献１】特開２００４−３０９９８３号公報
【特許文献２】特許第２８０１８９３号明細書
【特許文献３】特開平９−１６０５２５号公報
【特許文献４】特公平７−１０９５４２号公報
【発明の開示】
【発明が解決しようとする課題】
【０００５】
例えば、上記従来のＡＬＩＳ方式のプラズマディスプレイ装置の駆動回路では、上記特開２００４−３０９９８３号公報（特許文献１）の図３に示されるように、Ｘ電極側、Ｙ電極側のそれぞれに、同じ回路構成の第１、第２の電極駆動回路が設けられている。また、該特開２００４−３０９９８３号公報記載の構成では、図５に示すように、この第１、第２の電極駆動回路のそれぞれに、共振用のコイル３５、４３、ダイオード３６、４２、スイッチとしてのＭＯＳトランジスタ３７、４０、電荷蓄積用のコンデンサ３９等で構成される電力回収回路が配置されている。該電力回収回路は、例えば特許第２８０１８９３号明細書に記載されているように、コイルと表示パネル部のパネル容量Ｃｐとに基づく共振により、該パネル容量Ｃｐ部に蓄積された電荷を電力回収用のコンデンサに回収し、その後、該回収した電荷を該パネル容量Ｃｐ部側に供給する（以下、この電荷の回収・供給を電力回収という）。
【０００６】
例えば上記ＡＬＩＳ方式の場合は、総表示ラインのうち、半分の表示ライン（例えば奇数番目の表示ライン）が奇数フィールドで表示され、残りの半分の表示ライン（例えば偶数番目の表示ライン）が偶数フィールドで表示される。これを実現するために、特開２００４−３０９９８３号公報（特許文献１）の図４に示されるように、各フィールドで、第１、第２の２つの電極駆動回路は、交互に接地電位に固定される。電極駆動回路が接地電位に固定されるとき、該電極駆動回路に接続されている電力回収回路は電力回収動作を行わないことになる。すなわち、Ｘ電極側に設けられた第１、第２のＸサステイン回路（第１、第２のＸ電極駆動回路）のそれぞれに接続された電力回収回路は、一方の電力回収回路が電力回収動作をしている期間には、他方の電力回収回路は電力回収動作を行わないし、同様に、Ｙ電極側に設けられた第１、第２のＹサステイン回路（第１、第２のＹ電極駆動回路）のそれぞれに接続された電力回収回路は、一方の電力回収回路が電力回収動作をしている期間には、他方の電力回収回路は電力回収動作を行わない。すなわち、各電力回収回路はそれぞれ、電力回収動作を行わない期間を有することになる。このため、このように、第１、第２のＸサステイン回路のそれぞれ及び第１、第２のＹサステイン回路のそれぞれに、個別に電力回収回路を接続した構成では、電力回収動作時、各電力回収回路の稼働率が５０％に留まり、かつ、電力回収回路数が多い（４個である）ため、電極駆動回路の部品点数や基板面積が増大し、該電極駆動回路の製造コストの増大や設置スペースの増大の原因となり、装置全体のコスト低減や小型化を阻むおそれがある。
【０００７】
本発明の課題点は、上記従来技術の状況に鑑み、例えばＡＬＩＳ方式のプラズマディスプレイ装置のように、隣接したＸ電極、Ｙ電極間の組合わせを時間的に変え両電極間で維持放電を行わせる表示方式のプラズマディスプレイ装置において、電力回収回路の稼動率を一層向上させることで該電力回収回路の数を減らし、電子部品数や基板面積を減らして、回路コストの増大や設置スペースの増大を抑えられるようにすることである。
本発明の目的は、上記課題点を解決し、小型で低コストの電力回収回路により無効消費電力の削減化が可能なプラズマディスプレイ装置を提供することにある。
【課題を解決するための手段】
【０００８】
上記課題点を解決するために、本発明では、プラズマディスプレイ装置の電極駆動回路を、奇数番目のＸ電極、Ｙ電極のそれぞれを駆動する第１の電極駆動回路と、偶数番目のＸ電極、Ｙ電極のそれぞれを駆動する第２の電極駆動回路と、該第１の電極駆動回路の出力端と上記第２の電極駆動回路の出力端との間に接続され、該第１の電極駆動回路が上記奇数番目のＸ電極、Ｙ電極を駆動するときと、該第２の電極駆動回路が上記偶数番目のＸ電極、Ｙ電極を駆動するときとで電力回収のために共用される電力回収回路とを備えた構成とし、かつ、該電力回収回路としては、インダクタンスを形成するコイルと、該コイルの上記奇数番目のＸ電極、Ｙ電極及び上記偶数番目のＸ電極、Ｙ電極との接続状態を切替える双方向スイッチとが直列接続されて成り、上記奇数番目のＸ電極、Ｙ電極、偶数番目のＸ電極、Ｙ電極のうち、維持放電を終了した電極からは上記双方向スイッチを通して電荷を上記コイル側に取込み、該取込んだ電荷を、維持放電を開始する電極に対し該双方向スイッチを通して供給する構成とする。かかる構成により、該電力回収回路は、上記第１の電極駆動回路が作動する場合も、上記第２の電極駆動回路が作動する場合も電力回収動作を行う。
【０００９】
上記電力回収回路の上記電力回収動作としては、上記第１の電極駆動回路及び上記第２の電極駆動回路が１８０度の位相の異なった維持電圧駆動を行う前後の期間において、高放電電圧の状態から低放電電圧の状態にする際には、該高放電電圧状態にあった電極側の電荷を一方向性のダイオードを介して上記コイルに充電し、該充電された電荷を該コイルから新たに高放電電圧状態にして維持電圧駆動を行う電極側へ転送することで電力回収を行い、また、放電電圧の低放電電圧状態から高放電電圧状態にする際には、該低放電電圧状態にあった電極側の電荷を、別の一方向性のダイオードを介して上記コイルに充電し、該充電された電荷を該コイルから該高放電電圧状態にする電極側に転送することで電力回収を行う。該電力回収では、このように、奇数番目と偶数番目のＸ電極間及び奇数番目と偶数番目のＹ電極間においてそれぞれ、交互に電荷のやり取りを繰り返し行うことで表示パネル内の電荷はそのまま使用する。
【００１０】
また、上記電力回収は、接続された電力回収回路と電極容量との間で閉回路が構成されることから、位相が１８０度異なった駆動期間以外においても、高電圧状態と低電圧状態となる期間内であればすなわち電位差が発生している期間では、電力回収回路を動作させて電荷の転送が可能となる。
【発明の効果】
【００１１】
本発明によれば、隣接したＸ電極、Ｙ電極間の組合わせを時間的に変え該両電極間で維持放電を行わせる表示方式のプラズマディスプレイ装置において、Ｘ電極及びＹ電極を駆動する電極駆動回路内の電力回収回路の数を減らすことができ、回路コストの増大や設置スペースの増大を抑えることができる。
【発明を実施するための最良の形態】
【００１２】
以下、本発明の実施例につき、図面を用いて説明する。
なお、図面において、同じ機能を有する構成要素には同一の符号を付す。また、明細書の説明において、一度述べた事項については重複する説明を省略するものとする。また、以下の実施例１〜実施例３ではいずれも、ＡＬＩＳ方式のプラズマディスプレイ装置につき説明する。
【実施例１】
【００１３】
図１〜図４は、本発明の第１の実施例の説明図である。図１は、第１の実施例としてのプラズマディスプレイ装置の全体構成図、図２は、図１のプラズマディスプレイ装置における表示パネルの電極を駆動する電極駆動回路の説明図、図３は、図２の電極駆動回路の動作説明用の各部の電圧波形図、図４は、図１のプラズマディスプレイ装置における表示パネルの電極の駆動電圧及び駆動電流の波形及びタイミングの説明図である。本第１の実施例は、表示パネルの奇数番目の電極を駆動する第１の電極駆動回路が、奇数番目のＸ電極を駆動するＸ電極駆動用の第１の電極駆動回路と、奇数番目のＹ電極を駆動するＹ電極駆動用の第１の電極駆動回路とから成り、表示パネルの偶数番目の電極を駆動する第２の電極駆動回路が、偶数番目のＸ電極を駆動するＸ電極駆動用の第２の電極駆動回路と、偶数番目のＹ電極を駆動するＹ電極駆動用の第２の電極駆動回路とから成り、上記Ｘ電極駆動用の第１の電極駆動回路の出力端と上記Ｘ電極駆動用の第２の電極駆動回路の出力端との間及び上記Ｙ電極駆動用の第１の電極駆動回路の出力端と上記Ｙ電極駆動用の第２の電極駆動回路の出力端との間にそれぞれ、電力回収回路を接続した場合である。第１の電極駆動回路と第２の電極駆動回路は、維持放電を行わせる隣接したＸ電極、Ｙ電極間の組合わせを時間的に切替えるものとする。
【００１４】
図１において、ＡＬＩＳ方式の本第１の実施例の構成では、画像を表示する表示パネル４０は、ｎ＋１本のＸ電極４１とｎ本のＹ電極４２とが互いに平行にかつ交互に配され、該両電極４１、４２と交差してアドレス電極４３が配されているマトリックス状の電極配列構成を有し、該Ｘ電極４１及び該Ｙ電極４２と該アドレス電極４３との交点位置に表示セルが形成される。そして、表示発光は、全ての表示電極（Ｙ電極、Ｘ電極）の間で行われる。従って、Ｘ電極４１とＹ電極４２を合わせた合計２ｎ＋１本の表示電極で、２ｎ本の表示ラインが形成される。なお、表示電極であるＹ電極とＸ電極との間では、表示発光のための維持放電を行う。該Ｙ電極、該Ｘ電極は、維持電極またはサステイン電極とも呼ばれる。アドレス電極４３は、表示電極（Ｙ電極、Ｘ電極）と直交する方向に設けられ、Ｘ電極及びＹ電極で形成される各表示ラインと各アドレス電極との交点位置にそれぞれ表示セル（図示せず）が形成される。
【００１５】
ＡＬＩＳ方式では、全ての表示電極間で表示放電が行われるが、該全ての表示電極間での表示放電を同時に発生させることはできないため、インターレース走査により、表示を奇数ラインと偶数ラインとに時間的に分割して行う。すなわち、インターレース走査によって、奇数フィールドでは奇数番目の表示ラインでの表示を行い、偶数フィールドでは偶数番目の表示ラインでの表示を行い、両表示を合わせて１つの画像表示を行う。
【００１６】
Ｙ電極はスキャン駆動回路２０に接続されている。スキャン駆動回路２０にはスイッチ２１が設けられており、駆動制御回路７０からの制御信号によって、アドレス期間には順にスキャンパルス（図示せず）が印加されるように切替えられる。また、維持（サステイン）放電期間には、Ｙ電極はＹ電極駆動回路（電極駆動回路内でＹ電極を駆動する電極駆動回路）６０Ｙに接続されるように切替えられる。このとき、Ｘ電極はＸ電極駆動回路（電極駆動回路内でＸ電極を駆動する電極駆動回路）６０Ｘに接続される。
【００１７】
Ｙ電極駆動回路６０Ｙは、奇数番目のＹ電極を駆動するＹ電極駆動用の第１の電極駆動回路（以下、第１のＹ電極駆動回路という）１０Ｙｏと、偶数番目のＹ電極を駆動するＹ電極駆動用の第２の電極駆動回路（以下、第２のＹ電極駆動回路という）１０Ｙｅとを含んで構成される。そして、維持放電（サステイン放電）期間には、奇数番目のＹ電極（以下、Ｙ奇数電極という）は第１のＹ電極駆動回路１０Ｙｏに接続され、偶数番目のＹ電極（以下、Ｙ偶数電極という）は第２のＹ電極駆動回路１０Ｙｅに接続される。また、Ｘ電極駆動回路６０Ｘも、奇数番目のＸ電極を駆動するＸ電極駆動用の第１の電極駆動回路（以下、第１のＸ電極駆動回路という）１０Ｘｏと、偶数番目のＸ電極を駆動するＸ電極駆動用の第２の電極駆動回路（以下、第２のＸ電極駆動回路という）１０Ｘｅとを含んで構成され、維持放電（サステイン放電）期間には、奇数番目のＸ電極（以下、Ｘ奇数電極という）は第１のＸ電極駆動回路１０Ｘｏに、偶数番目のＸ電極（以下、Ｘ偶数電極という）は第２のＸ電極駆動回路１０Ｘｅに接続される。
【００１８】
アドレス電極４３は、アドレス回路５０に接続される。画像信号処理回路８０は、入力された画像信号を、プラズマディスプレイ装置内部での動作に適した形式の画像データに変換した後、アドレス回路５０に供給する。
【００１９】
スキャン駆動回路２０は、アドレス期間（アドレス時）に、上記Ｙ電極に接続され、該Ｙ電極にスキャンパルスを順次供給して該Ｙ電極をスキャン駆動する。
アドレス回路５０は、画像信号処理回路８０で画像信号から変換された画像データに基づいて、アドレス期間に、スキャン駆動回路２０からのスキャンパルスに応じてアドレスパルスを形成して出力し、該アドレスパルスでアドレス電極４３を駆動する。これによって、アドレス放電が生じる。
電極駆動回路（Ｘ電極駆動回路６０Ｘ、Ｙ電極駆動回路６０Ｙ）は、上記Ｘ電極及び上記Ｙ電極を維持放電用の駆動電圧で駆動し、上記アドレスされた表示セルを維持放電させる。
駆動制御回路７０は、上記アドレス回路５０、上記スキャン駆動回路２０及び上記電極駆動回路６０Ｘ、６０Ｙを含むプラズマディスプレイ装置の各部を制御するための制御信号を形成して出力する。
【００２０】
上記構成に基づき、ＡＬＩＳ方式のプラズマディスプレイ装置は、アドレス期間には、スキャン駆動回路２０からのスキャンパルスに応じて、アドレス回路５０から画素データに対応したアドレスパルスを出力し、アドレス電極に供給し、表示パネル４０の該当する表示セルにおいてアドレス放電を行う。また、維持放電期間には、第１のＹ電極駆動回路１０Ｙｏ、第２のＹ電極駆動回路１０Ｙｅ、第１のＸ電極駆動回路１０Ｘｏ及び第２のＸ電極駆動回路１０Ｘｅによって、表示パネル４０上の奇数表示ライン及び偶数表示ラインを駆動し、表示パネル４０上の、上記アドレス放電によってアドレスされた表示セルのＸ電極、Ｙ電極間で維持放電を行い、これによって画像表示を行う。
以下の説明中で用いる図１のプラズマディスプレイ装置の構成要素には、図１の場合と同じ符号を付して用いる。
【００２１】
図２は、図１のプラズマディスプレイ装置における電極駆動回路の説明図である。
図２において、表示パネル４０は、Ｙ電極駆動回路６０ＹとＸ電極駆動回路６０Ｘを備えて構成される。Ｙ電極駆動回路６０Ｙは、表示パネル４０をＹ電極側から駆動し、Ｘ電極駆動回路６０Ｘは、表示パネル４０をＸ電極側から駆動する。Ｙ電極駆動回路６０Ｙは、Ｙ奇数電極をサステイン駆動（維持放電させる駆動）する第１のＹ電極駆動回路１０Ｙｏと、Ｙ偶数電極をサステイン駆動する第２のＹ電極駆動回路１０Ｙｅと、１つの電力回収回路３０Ｙとを含んで構成される。また、Ｘ電極駆動回路６０Ｘは、Ｘ奇数電極をサステイン駆動する第１のＸ電極駆動回路１０Ｘｏと、Ｘ偶数電極をサステイン駆動する第２のＸ電極駆動回路１０Ｘｅと、１つの電力回収回路３０Ｘとを含んで構成される。Ｙ電極駆動回路６０ＹとＸ電極駆動回路６０Ｘは同じ構成を備えるものとし、それぞれの内部構成については、以下、Ｙ電極駆動回路６０Ｙで代表させて説明するものとする。なお、Ｙ電極駆動回路６０ＹとＸ電極駆動回路６０Ｘにおいて、同じ機能を有する構成要素には同じ符号を付し、Ｙ電極側とＸ電極側とで区別が必要なものについてはその符号に添え字ｙ、ｘを付す。
【００２２】
図２において、第１のＹ電極駆動回路１０Ｙｏは、例えばＭＯＳＦＥＴやＩＧＢＴで構成されたスイッチ１ｙ、２ｙを含んで構成される。また、第２のＹ電極駆動回路１０Ｙｅも同様に、ＭＯＳＦＥＴやＩＧＢＴで構成されたスイッチ５ｙ、６ｙを含んで構成される。電力回収回路３０Ｙは、一方向性のダイオード８ｙと電路をオン・オフするスイッチ４ｙが並列接続された第１の双方向スイッチと、インダクタンスを形成するコイル９ｙと、一方向性のダイオード7ｙと電路をオン・オフするスイッチ３ｙが並列接続された第２の双方向スイッチとを直列接続した構成を有する。上記第１の双方向スイッチは、上記コイル９ｙに対し、上記第１のＹ電極駆動回路１０Ｙｏ側に接続され、上記第２の双方向スイッチは、上記コイル９ｙに対し、上記第２のＹ電極駆動回路１０Ｙｅ側に接続される。該電力回収回路３０Ｙは、上記第１の双方向スイッチ側において上記第１のＹ電極駆動回路１０Ｙｏの出力端側に接続され、上記第２の双方向スイッチ側において上記第２のＹ電極駆動回路１０Ｙｅの出力端側に接続される。これら第１、第２の双方向スイッチにおいて、スイッチ３ｙ、４ｙはそれぞれ、コイル９ｙによる充放電経路の切替えを行い、ダイオード7ｙ、８ｙはそれぞれ、逆方向電流が流れるのを阻止する。電力回収回路３０Ｙ内において、コイル９ｙの両側に直列に接続されたこれら第１、第２の双方向スイッチは、維持放電駆動の前後の期間において、第１のＹ電極駆動回路１０Ｙｏの駆動電圧と第２のＹ電極駆動回路１０Ｙｅの駆動電圧の高さに対応して、該コイル９ｙと、Ｙ奇数電極、Ｙ偶数電極との間でやり取りする電荷の移動方向を、それぞれのスイッチ３ｙ、４ｙを交互にオン・オフさせることより切替える。これにより、電力回収回路３０Ｙは、表示パネル４０内のパネル容量Ｃ１、Ｃ３、Ｃ５…Ｃ２ｎ-１の奇数電極容量群の電荷を、パネル容量Ｃ２、Ｃ４、Ｃ６…Ｃ２ｎの偶数電極容量群側に転送したり、逆に、パネル容量Ｃ２、Ｃ４、Ｃ６…Ｃ２ｎの偶数電極容量群の電荷を、パネル容量Ｃ１、Ｃ３、Ｃ５…Ｃ２ｎ-１の奇数電極容量群に転送したりする。該転送動作は繰り返し行われる。電力回収回路３０Ｙにおける電力回収原理は、例えば特開２００４−３０９９８３号公報（特許文献１）や特公平７−１０９５４２号公報（特許文献４）に記載されたのものと同じである。このように、電力回収回路３０Ｙは、Ｙ奇数電極、Ｙ偶数電極との間で電荷をやり取りさせ、両電極間の電力の回収、供給を行う。
【００２３】
スイッチ１ｙ、２ｙ、３ｙ、４ｙ、５ｙ、６ｙはそれぞれ、サステイン駆動信号発生回路７１で生成された制御信号より制御され、該各スイッチが接続された電路のオン・オフを行う。これら第１、第２の双方向スイッチとしてＭＯＳＦＥＴを用いた場合には、内蔵された寄生ダイオードを利用することでダイオード7ｙ、８ｙを不要にすることが可能となる。
なお、Ｘ電極駆動回路６０Ｘの場合は、スイッチ１ｘ、２ｘ、３ｘ、４ｘ、５ｘ、６ｘがそれぞれ、上記サステイン駆動信号発生回路で生成された制御信号より制御され、該各スイッチが接続された電路のオン・オフを行う。これによって、電力回収回路３０Ｘは、Ｙ奇数電極、Ｙ偶数電極との間で電荷をやり取りさせ、両電極間の電力の回収、供給を行う。
【００２４】
図２の構成において、維持放電期間には、第１のＹ電極駆動回路１０Ｙｏと第２のＹ電極駆動回路１０Ｙｅは、スキャン駆動回路２０を介して表示パネル４０のＹ奇数電極とＹ偶数電極とに駆動電圧を印加する。スキャン駆動回路２０には高耐圧のＭＯＳＦＥＴやＩＧＢＴで構成されたスイッチ２１が搭載されているが、該スイッチ２１は、維持放電動作時には導通状態となるため、第１のＹ電極駆動回路１０Ｙｏ、第２のＹ電極駆動回路１０Ｙｅから出力される駆動電圧がそのままＹ電極に印加される。同様に、第１のＸ電極駆動回路１０Ｘｏと第２のＸ電極駆動回路１０Ｘｅも、それぞれ、第１のＹ電極駆動回路１０Ｙｏと第２のＹ電極駆動回路１０Ｙｅの維持放電動作に同期して、表示パネル４０のＹ奇数電極とＹ偶数電極とに駆動電圧を印加する。
以下の説明中で用いる図２の構成要素には、図２の場合と同じ符号を付して用いる。
【００２５】
図３は、図２の電極駆動回路の動作説明用の各部の動作波形図である。
図３において、（ａ）は、Ｘ電極４１、Ｙ電極４２の駆動電圧波形、（ｂ）は、Ｙ電極駆動回路６０Ｙ内スイッチの動作タイミング波形、（ｃ）は、Ｘ電極駆動回路６０Ｘ内スイッチの動作タイミング波形である。図３では、説明の便宜上、Ｘ１電極（奇数ラインを形成するＸ電極＝Ｘ奇数電極）、Ｘ２電極（偶数ラインを形成するＸ電極＝Ｘ偶数電極）、Ｙ１電極（奇数ラインを形成するＹ電極＝Ｙ奇数電極）、Ｙ２電極（偶数ラインを形成するＹ電極＝Ｙ偶数電極）の駆動波形を示す。
【００２６】
図３において、奇数フィールドでは、スイッチ１ｘをその電路をオン状態にして電極Ｘ１に低い電圧Ｖｓ２を印加し、スイッチ２ｙをその電路をオン状態にして電極Ｙ１に高い電圧Ｖｓ１（Ｖｓ１＞Ｖｓ２）を印加したとき、スイッチ６ｘをその電路をオン状態にして電極Ｘ２には高い電圧Ｖｓ１を印加し、スイッチ５ｙを電路をオン状態にして電極Ｙ２には低い電圧Ｖｓ２を印加して、電極Ｘ１と電極Ｙ１間及び電極Ｘ２と電極Ｙ２間において維持放電を行わせる。この時、電極Ｘ１と電極Ｙ２の間及び電極Ｘ２と電極Ｙ１の間の電位差はゼロで該それぞれの両電極が同電位に設定されているため、該それぞれの両電極間では維持放電は行われない。奇数フィールド内における次の周期では、これらの電圧を反転し、スイッチ２ｘをその電路をオン状態にして電極Ｘ１に高い電圧Ｖｓ１を印加し、スイッチ１ｙをその電路をオン状態にして電極Ｙ１に低い電圧Ｖｓ２を印加したとき、スイッチ５ｘをその電路をオン状態にして電極Ｘ２には低い電圧Ｖｓ２を印加し、スイッチ６ｙをその電路をオン状態にして電極Ｙ２には高い電圧Ｖｓ１を印加して、やはり、電極Ｘ１と電極Ｙ１間及び電極Ｘ２と電極Ｙ２間において維持放電を行わせる。この時も、電極Ｘ１と電極Ｙ２の間及び電極Ｘ２と電極Ｙ１の間の電位差はゼロで該それぞれの両電極が同電位に設定されているため、該それぞれの両電極間では維持放電は行われない。
【００２７】
偶数フィールドでは、スイッチ２ｘをその電路をオン状態にして電極Ｘ１に高い電圧Ｖｓ１を印加し、スイッチ２ｙをその電路をオン状態にして電極Ｙ１に高い電圧Ｖｓ１を印加したとき、スイッチ５ｘを電路をオン状態にして電極Ｘ２には低い電圧Ｖｓ２を印加し、スイッチ５ｙをその電路をオン状態にして電極Ｙ２にも低い電圧Ｖｓ２を印加して、電極Ｘ２と電極Ｙ１間及び電極Ｘ２と電極Ｙ２間において維持放電を行わせる。この時、電極Ｘ１とＹ１の間及び電極Ｘ２とＹ２の間の電位差はゼロで該それぞれの両電極が同電位に設定されているため、該それぞれの両電極間では維持放電は行われない。偶数フィールド内において次の周期では、これらの電圧を反転し、スイッチ１ｘをその電路をオン状態にして電極Ｘ１に低い電圧Ｖｓ２を印加し、スイッチ１ｙをオン状態にして電極Ｙ１にも低い電圧Ｖｓ２を印加したとき、スイッチ６ｘをその電路をオン状態にして電極Ｘ２には高い電圧Ｖｓ１を印加し、スイッチ６ｙをその電路をオン状態にして電極Ｙ２にも高い電圧Ｖｓ１を印加して、やはり、電極Ｘ２と電極Ｙ１間及び電極Ｘ２と電極Ｙ２間において維持放電を行わせる。この時も、電極Ｘ１とＹ１の間及び電極Ｘ２とＹ２の間の電位差はゼロで、該それぞれの両電極が同電位に設定されているため、該それぞれの両電極間では維持放電は行われない。
なお、上記において、低い電圧Ｖｓ２は、接地電位（グランドレベル）であってもよいし、マイナス電位であってもよい。
リセット期間やアドレス期間における駆動電圧波形については、特開２００４−３０９９８３号公報（特許文献１）や第２８０１８９３号公報（特許文献２）に記載の説明をもって本実施例の説明に援用するものとする。
【００２８】
以下、電力回収回路につき、図３を用いて説明する。
Ｘ電極４１、Ｙ電極４２が図３の（ａ）の波形の駆動電圧で駆動される場合における電力回収回路３０Ｙ、３０Ｘの動作を、Ｙ電極駆動回路６０Ｙ内のスイッチ１ｙ〜６ｙの動作タイミング及びＸ電極駆動回路６０Ｘ内のスイッチ１ｘ〜６ｘの動作タイミングにおける各タイミング期間毎に説明する。
【００２９】
ｔ１期間：
維持放電期間のうち、奇数フィールド期間では、奇数番目のパネル表示ラインである奇数ラインを点灯させるために、先ず、Ｙ奇数電極（以下、Ｙ１電極で代表させるものとする）とＸ偶数電極（以下、Ｘ２電極で代表させるものとする）に高い電圧Ｖｓ１を印加し、Ｘ奇数電極（以下、Ｘ１電極で代表させるものとする）とＹ偶数電極（以下、Ｙ２電極で代表させるものとする）には低い電圧Ｖｓ２を印加する、または、該Ｘ奇数電極と該Ｙ偶数電極を電圧Ｖｓ２にする（電圧Ｖｓ１＞電圧Ｖｓ２）。該電圧Ｖｓ２は接地電位（グランドレベル）であってもよいし、マイナス電位であってもよい。
上記電圧の立ち上げ期間であるｔ１期間においては、Ｙ電極側では、Ｙ１電極に、電力回収回路３０Ｙのコイル９ｙからスイッチ４ｙを介して電力が供給される。すなわち、Ｙ電極側では、Ｙ２電極がダイオード7ｙを介してコイル９ｙに接続されており、Ｙ２電極側のパネル容量とコイル９ｙとの共振によりコイル９ｙ内に充電された電荷は、電力回収回路３０Ｙ内のスイッチ４ｙが電路をオン状態にすることによって、Ｙ１電極側に転送される。このｔ１期間では、第１のＹ電極駆動回路１０Ｙｏ内のスイッチ１ｙ、２ｙは電路を全てオフ状態にしており、同様に、第２のＹ電極駆動回路１０Ｙｅ内のスイッチ５ｙ、６ｙ及び電力回収回路３０Ｙ内のスイッチ３ｙは電路を全てオフ状態にしている。このため、Ｙ２電極の電荷は、コイル９ｙに、電流がゼロになるまで転送される。また、ｔ１期間においては、Ｘ電極側では、Ｘ２電極に、電力回収回路３０Ｘのコイル９ｘからスイッチ３ｘを介して電力が供給される。すなわち、Ｘ電極側では、Ｘ１電極がダイオード８ｘを介してコイル９ｘに接続されており、Ｘ１電極側のパネル容量とコイル９ｘとの共振によりコイル内に充電された電荷（Ｘ１電荷という）は、電力回収回路３０Ｘ内のスイッチ３ｘが電路をオン状態にすることによって、Ｘ２電極側に転送される。このとき、第１のＸ電極駆動回路１０Ｘｏ側のスイッチ２ｘ、１ｘ及び電力回収回路３０Ｘ内のスイッチ４ｘは電路を全てオフ状態にしており、同様に、第２のＸ電極駆動回路１０Ｘｅ内のスイッチ６ｘ、５ｘはそれぞれの電路をオフ状態にしている。このため、Ｘ１電極の電荷は、コイル９ｘに、電流ゼロとなるまで転送される。
上記により、Ｙ２電極から電力が電力回収回路３０Ｙに回収され、該回収された電力はＹ１電極に供給され、また、Ｘ１電極から電力が電力回収回路３０Ｘに回収され、該回収された電力はＸ２電極に供給される。
【００３０】
ｔ２期間：
ｔ２期間では、Ｙ１電極とＸ２電極とに高い電圧Ｖｓ１を印加する。すなわち、Ｙ電極側では、Ｙ電極駆動回路６０Ｙ内において、第１のＹ電極駆動回路１０Ｙｏのスイッチ２ｙが電路をオン状態にして電圧Ｖｓ１をＹ１電極に印加し、また、第２のＹ電極駆動回路１０Ｙｅのスイッチ５ｙが電路をオン状態にしてＹ２電極を電圧Ｖｓ２の状態にする。電力回収回路３０Ｙ内のスイッチ３ｙ、４ｙは電路オフの状態にある。また、Ｘ電極側では、Ｘ電極駆動回路６０Ｘ内において、第２のＸ電極駆動回路１０Ｘｅのスイッチ６ｘが電路をオン状態にして電圧Ｖｓ１をＸ２電極に印加し、また、第１のＸ電極駆動回路１０Ｘｏのスイッチ１ｘが電路をオン状態にしてＸ１電極を電圧Ｖｓ２の状態にする。電力回収回路３０Ｘ内のスイッチ３ｘ、４ｘは電路オフの状態にある。
【００３１】
ｔ３期間：
ｔ３期間は、Ｙ１電極及びＸ２電極への印加電圧が立ち下がる期間である。この期間では、表示パネル４０に蓄積された電荷を電力回収回路３０Ｙ、３０Ｘで回収する。すなわち、Ｙ電極側では、Ｙ電極駆動回路６０Ｙ内において、第１のＹ電極駆動回路１０Ｙｏのスイッチ２ｙが電路をオフ状態にし、電力回収回路３０Ｙのスイッチ３ｙが電路をオン状態にして、電力回収回路３０ＹがＹ２電極に接続されるようにする。これによって、Ｙ１電極の電荷が、電力回収回路３０Ｙにより回収され、回収された電荷はＹ２電極に供給される。すなわち、Ｙ１電極の電荷は、ダイオード８ｙを通してコイル９ｙに回収され、さらに、該コイル９ｙに回収された電荷はスイッチ３ｙを通してＹ２電極に供給される。このように、Ｙ１電極から電力回収回路３０Ｙに電力が回収されＹ２電極に供給される。また、Ｘ電極側では、Ｘ電極駆動回路６０Ｘ内において、第２のＸ電極駆動回路１０Ｘｅのスイッチ６ｘが電路をオフ状態にし、電力回収回路３０Ｘのスイッチ４ｘが電路をオン状態にして、Ｘ１電極に電力回収回路３０Ｘが接続されるようにする。これによって、Ｘ２電極の電荷が、電力回収回路３０Ｘにより回収され、回収された電荷はＸ１電極に供給される。すなわち、Ｘ２電極の電荷は、ダイオード７ｘを通してコイル９ｘに回収され、さらに、該コイル９ｘに回収された電荷はスイッチ４ｘを通してＸ１電極に供給される。このように、Ｘ２電極から電力回収回路３０Ｘに電力が回収されＸ１電極に供給される。
【００３２】
ｔ４期間：
ｔ４期間は、Ｙ１電極、Ｘ２電極、Ｙ２電極、Ｘ１電極のそれぞれに印加する電圧を反転させるサイクルに入る。すなわち、Ｙ１電極とＸ２電極を電圧Ｖｓ２とし、Ｘ１電極とＹ２電極に電圧Ｖｓ１を印加するサイクルとなる。
【００３３】
ｔ５期間：
ｔ５期間は、このサイクルの立ち上げ期間である。該ｔ５期間では、電力回収回路３０ＹからＹ１電極に電力を供給し、電力回収回路３０ＸからＸ２電極に電力を供給する。すなわち、Ｙ電極側では、Ｙ電極駆動回路６０Ｙ内において、第２のＹ電極駆動回路１０Ｙｅのスイッチ６ｙが電路をオフ状態にし、電力回数回路３０Ｙのスイッチ４ｙが電路をオン状態にして、電力回収回路３０ＹがＹ１電極に接続されるようにする。これによって、Ｙ２電極の電荷が、電力回収回路３０Ｙにより回収され、回収された電荷はＹ１電極に供給される。すなわち、Ｙ２電極の電荷は、ダイオード７ｙを通してコイル９ｙに回収され、さらに、該コイル９ｙに回収された電荷はスイッチ４ｙを通してＹ１電極に供給される。このように、Ｙ２電極から電力回収回路３０Ｙに電力が回収されＹ１電極に供給される。また、Ｘ電極側では、Ｘ電極駆動回路６０Ｘ内において、第１のＸ電極駆動回路１０Ｘｏのスイッチ２ｘが電路をオフ状態にし、電力回収回路３０Ｘのスイッチ３ｘが電路をオン状態にして、電力回収回路３０ＸがＸ２電極に接続されるようにする。これによって、Ｘ１電極の電荷が、電力回収回路３０Ｘにより回収され、回収された電荷はＸ２電極に供給される。すなわち、Ｘ１電極の電荷は、ダイオード８ｘを通してコイル９ｘに回収され、さらに、該コイル９ｘに回収された電荷はスイッチ３ｘを通してＸ２電極に供給される。このように、Ｘ１電極から電力回収回路３０Ｘに電力が回収されＸ２電極に供給される。
【００３４】
ｔ６期間：
ｔ６期間では、Ｙ１電極とＸ２電極に高い電圧Ｖｓ１を印加する。すなわち、本ｔ６期間では、上記ｔ２期間の場合と同様、Ｙ電極側では、Ｙ電極駆動回路６０Ｙ内において、第１のＹ電極駆動回路１０Ｙｏのスイッチ２ｙが電路をオン状態にして電圧Ｖｓ１をＹ１電極に印加し、また、第２のＹ電極駆動回路１０Ｙｅのスイッチ５ｙが電路をオン状態にしてＹ２電極を電圧Ｖｓ２の状態にする。電力回収回路３０Ｙ内のスイッチ３ｙ、４ｙは電路オフの状態にある。また、Ｘ電極側では、Ｘ電極駆動回路６０Ｘ内において、第２のＸ電極駆動回路１０Ｘｅのスイッチ６ｘが電路をオン状態にして電圧Ｖｓ１をＸ２電極に印加し、また、第１のＸ電極駆動回路１０Ｘｏのスイッチ１ｘが電路をオン状態にしてＸ１電極を電圧Ｖｓ２の状態にする。電力回収回路３０Ｘ内のスイッチ３ｘ、４ｘは電路オフの状態にある。
【００３５】
ｔ７期間：
ｔ７期間は、Ｙ１電極及びＸ２電極への印加電圧が立ち下がる期間である。この期間でも、表示パネル４０に蓄積された電荷を電力回収回路３０Ｙ、３０Ｘで回収する。すなわち、上記ｔ３期間の場合と同様、Ｙ電極側では、Ｙ電極駆動回路６０Ｙ内において、第１のＹ電極駆動回路１０Ｙｏのスイッチ２ｙが電路をオフ状態にし、電力回収回路３０Ｙのスイッチ３ｙが電路をオン状態にして、電力回収回路３０ＹがＹ２電極に接続されるようにする。これによって、Ｙ１電極の電荷が、電力回収回路３０Ｙにより回収され、回収された電荷はＹ２電極に供給される。すなわち、Ｙ１電極の電荷は、ダイオード８ｙを通してコイル９ｙに回収され、さらに、該コイル９ｙに回収された電荷はスイッチ３ｙを通してＹ２電極に供給される。このように、Ｙ１電極から電力回収回路３０Ｙに電力が回収されＹ２電極に供給される。また、Ｘ電極側では、Ｘ電極駆動回路６０Ｘ内において、第２のＸ電極駆動回路１０Ｘｅのスイッチ６ｘが電路をオフ状態にし、電力回収回路３０Ｘのスイッチ４ｘが電路をオン状態にして、Ｘ１電極に電力回収回路３０Ｘが接続されるようにする。これによって、Ｘ２電極の電荷が、電力回収回路３０Ｘにより回収され、回収された電荷はＸ１電極に供給される。すなわち、Ｘ２電極の電荷は、ダイオード７ｘを通してコイル９ｘに回収され、さらに、該コイル９ｘに回収された電荷はスイッチ４ｘを通してＸ１電極に供給される。このように、Ｘ２電極から電力回収回路３０Ｘに電力が回収されＸ１電極に供給される。
【００３６】
奇数フィールド期間内において、ｔ７期間以降、維持放電は繰り返し行われることになる。偶数フィールド期間では、インターレース動作で点灯ラインを切替える必要があり、Ｘ１電極とＸ２電極の位相を奇数フィールドから半周期ずらす（半周期進ませるまたは遅らせる）ことになるが、これについてもＸ電極側のスイッチタイミングを変えるだけで対応可能である。
【００３７】
図４は、図１のプラズマディスプレイ装置における表示パネル４０の電極の駆動電圧及び駆動電流の波形及びタイミングの説明図であって、（ａ）は、Ｘ電極側の維持放電期間の１サイクル分の駆動電圧波形と駆動電流波形を示し、（ｂ）は、Ｘ１電極の駆動電圧及び駆動電流のタイミングを示す。
図４において、電力回収回路３０Ｘのスイッチ動作の立上がりタイミングｔ９及び立上がり時間ｔ８と、立下りタイミングｔ１０及び立下り時間ｔ１１を調整する（制御する）ことで、Ｘ電極の駆動電流波形の切替え位置及び切替え時間を調整する（制御する）ことができる。また、この調整（制御）はＹ電極側でも同様に行うことができる。これにより、電力回収回路３０Ｙのスイッチ３ｙ、４ｙ及び電力回収回路３０Ｘのスイッチ３ｘ、４ｘの動作タイミングは、第１のＹ電極側駆動回路１０Ｙｏのスイッチ１ｙ、２ｙ、第２のＹ電極側駆動回路１０Ｙｅのスイッチ５ｙ、６ｙ、第１のＸ電極駆動回路１０Ｘｏのスイッチ１ｘ、２ｘ、第２のＸ電極駆動回路１０Ｘｅのスイッチ５ｘ、６ｘのタイミング位置及び制御幅を、維持放電周期あるいは駆動電圧波形状態に対応して調整することにより、調整可能である。すなわち、これらスイッチのタイミング位置及び制御幅を調整することにより、電力回収回路３０Ｙのスイッチ３ｙ、４ｙ及び電力回収回路３０Ｘのスイッチ３ｘ、４ｘの動作タイミングを、コイル寄生振動による出力電圧波形のリンギングの抑圧あるいは配線経路の遅延補正を行うことができ、維持放電周期に追従した電力回収が最適な状態で行われるように調整することができる。
【００３８】
上記本発明の第１の実施例によれば、電力回収回路３０Ｙ、３０Ｘをそれぞれ、表示パネル４０内の奇数番目の電極の駆動時と偶数番目の電極の駆動時とで共用することができ、電力回収回路３０Ｙ、３０Ｘをそれぞれ、稼動率を従来の電力回収回路よりも一層向上させることで、電極駆動回路６０Ｙ、６０Ｘ内の電力回収回路数を減らし、電子部品数や基板面積を減らすことが可能となり、回路コストの増大や設置スペースの増大を抑えられる。これによって、小型で低コストの電力回収回路により無効消費電力の削減化が可能なプラズマディスプレイ装置の提供が可能となる。また、電力回収回路３０Ｙ、３０Ｘそれぞれの、Ｙ電極、Ｘ電極への接続を、スイッチ３ｙ、４ｙ、３ｘ、４ｘにより交互に切替えることで電力回収が可能なため、該電力回収を簡単な回路構成と簡単な制御手順とで行うことができる。また、回路部品を表示パネル４０の電極の入力端子の直近に配置することができるため、配線による電流損失や出力電圧波形のリンギングも抑えられ、表示パネルの大型化なども容易となる。
【実施例２】
【００３９】
図５は、本発明の第２の実施例としてのプラズマディスプレイ装置における表示パネルの電極を駆動する電極駆動回路の説明図である。電極駆動回路以外の部分の構成、作用は、上記第１の実施例の場合と同じであるとする。
上記第１の実施例では、電力回収回路３０Ｘ、３０Ｙそれぞれの、Ｘ電極、Ｙ電極との接続状態を切替えるために、該電力回収回路３０Ｘ、３０Ｙを、電力回収時、電極からの電荷がコイル９ｘ、９ｙ方向に向かって流れるように、該コイル９ｘの両側に一方向性のダイオード７ｘ、８ｘを接続し、該コイル９ｙの両側に一方向性のダイオード7ｙ、８ｙを接続したが、該電力回収回路３０Ｘ、３０Ｙは、これらダイオードの順方向の向きを変えてそれぞれをコイル９ｘ、９ｙの両側に接続し、スイッチ制御信号を入れ替える構成とした場合にも、電力回収動作を行うことが可能である。
【００４０】
本第２の実施例は、電力回収回路３０Ｘ、３０Ｙ内において、ダイオード７ｘ、８ｘ、7ｙ、８ｙをそれぞれ、順方向の向きを、上記第１の実施例の場合とは逆にして、コイル９ｘ、９ｙの両側に接続した場合である。また、スイッチ３ｘ、４ｘの接続位置も互いに入れ替え、スイッチ３ｙ、３ｙの接続位置も互いに入れ替えてある。
図５の構成において、各構成要素、各部の電圧波形及びスイッチの動作タイミングは、上記第１の実施例の場合と同じである。各構成要素には、第１の実施例の場合（図）と同じ符号を付す。
【００４１】
表示パネル４０は、Ｙ電極駆動回路６０ＹとＸ電極駆動回路６０Ｘを備えて構成される。Ｙ電極駆動回路６０Ｙは、表示パネル４０をＹ電極側から駆動し、Ｘ電極駆動回路６０Ｘは、表示パネル４０をＸ電極側から駆動する。Ｙ電極駆動回路６０Ｙは、Ｙ奇数電極をサステイン駆動（維持放電させる駆動）する第１のＹ電極駆動回路１０Ｙｏと、Ｙ偶数電極をサステイン駆動する第２のＹ電極駆動回路１０Ｙｅと、１つの電力回収回路３０Ｙとを含んで構成される。また、Ｘ電極駆動回路６０Ｘは、Ｘ奇数電極をサステイン駆動する第１のＸ電極駆動回路１０Ｘｏと、Ｘ偶数電極をサステイン駆動する第２のＸ電極駆動回路１０Ｘｅと、１つの電力回収回路３０Ｘとを含んで構成される。Ｙ電極駆動回路６０ＹとＸ電極駆動回路６０Ｘは同じ構成を備えるものとし、それぞれの内部構成については、以下、Ｙ電極駆動回路６０Ｙで代表させて説明する。
【００４２】
Ｙ電極駆動回路６０Ｙにおいて、第１のＹ電極駆動回路１０Ｙｏは、例えばＭＯＳＦＥＴやＩＧＢＴで構成されたスイッチ１ｙ、２ｙを含んで構成される。また、第２のＹ電極駆動回路１０Ｙｅも同様に、ＭＯＳＦＥＴやＩＧＢＴで構成されたスイッチ５ｙ、６ｙを含んで構成される。電力回収回路３０Ｙは、一方向性のダイオード８ｙと電路をオン・オフするスイッチ３ｙが並列接続された第１の双方向スイッチと、インダクタンスを形成するコイル９ｙと、一方向性のダイオード7ｙと電路をオン・オフするスイッチ４ｙが並列接続された第２の双方向スイッチとを直列接続した構成を有する。上記第１の双方向スイッチは、上記コイル９ｙに対し、上記第１のＹ電極駆動回路１０Ｙｏ側に接続され、上記第２の双方向スイッチは、上記コイル９ｙに対し、上記第２のＹ電極駆動回路１０Ｙｅ側に接続される。該電力回収回路３０Ｙは、上記第１の双方向スイッチ側において上記第１のＹ電極駆動回路１０Ｙｏの出力端側に接続され、上記第２の双方向スイッチ側において上記第２のＹ電極駆動回路１０Ｙｅの出力端側に接続される。これら第１、第２の双方向スイッチにおいて、スイッチ３ｙ、４ｙはそれぞれ、コイル９ｙによる充放電経路の切替えを行い、ダイオード８ｙ、７ｙはそれぞれ、逆方向電流が流れるのを阻止する。電力回収回路３０Ｙ内において、コイル９ｙの両側に直列に接続されたこれら第１、第２の双方向スイッチは、維持放電駆動の前後の期間において、第１のＹ電極駆動回路１０Ｙｏの駆動電圧と第２のＹ電極駆動回路１０Ｙｅの駆動電圧の高さ関係に対応して、該コイル９ｙと、Ｙ奇数電極、Ｙ偶数電極との間でやり取りする電荷の移動方向を、それぞれのスイッチ３ｙ、４ｙを交互にオン・オフさせることより切替える。これにより、電力回収回路３０Ｙは、表示パネル４０内のパネル容量Ｃ１、Ｃ３、Ｃ５…Ｃ２ｎ-１の奇数電極容量群の電荷を、パネル容量Ｃ２、Ｃ４、Ｃ６…Ｃ２ｎの偶数電極容量群側に転送したり、逆に、パネル容量Ｃ２、Ｃ４、Ｃ６…Ｃ２ｎの偶数電極容量群の電荷を、パネル容量Ｃ１、Ｃ３、Ｃ５…Ｃ２ｎ-１の奇数電極容量群に転送したりする。該転送動作は繰り返し行われる。このように、電力回収回路３０Ｙは、Ｙ奇数電極、Ｙ偶数電極との間で電荷をやり取りさせ、両電極間の電力の回収、供給を行う。また、スイッチ１ｙ、２ｙ、３ｙ、４ｙ、５ｙ、６ｙはそれぞれ、サステイン駆動信号発生回路（図１のサステイン駆動信号発生回路７１と同じ）で生成された制御信号より制御され、該各スイッチが接続された電路のオン・オフを行う。各スイッチの動作タイミングは上記第１の実施例の場合（図３）と同様である。
【００４３】
なお、Ｘ電極駆動回路６０Ｘの場合は、スイッチ１ｘ、２ｘ、３ｘ、４ｘ、５ｘ、６ｘがそれぞれ、上記サステイン駆動信号発生回路で生成された制御信号より制御され、該各スイッチが接続された電路のオン・オフを行う。これら各スイッチの動作タイミングも上記第１の実施例の場合（図３）と同様である。これによって、電力回収回路３０Ｘは、Ｙ奇数電極、Ｙ偶数電極との間で電荷をやり取りさせ、両電極間の電力の回収、供給を行う。
【００４４】
上記本発明の第２の実施例によっても、第１の実施例の場合と同様、電力回収回路３０Ｙ、３０Ｘをそれぞれ、表示パネル４０内の奇数番目の電極の駆動時と偶数番目の電極の駆動時とで共用することができ、電力回収回路３０Ｙ、３０Ｘをそれぞれ、稼動率を従来の電力回収回路よりも大幅（約２倍）に向上させることで、電極駆動回路６０Ｙ、６０Ｘ内の電力回収回路数を減らし、電子部品数や基板面積を減らすことが可能となり、回路コストの増大や設置スペースの増大を抑えられる。これによって、小型で低コストの電力回収回路により無効消費電力の削減化が可能なプラズマディスプレイ装置を提供することが可能となる。また、電力回収回路３０Ｙ、３０Ｘそれぞれの、Ｙ電極、Ｘ電極への接続を、スイッチ３ｙ、４ｙ、３ｘ、４ｘにより交互に切替えることで電力回収が可能なため、該電力回収を簡単な回路構成と簡単な制御手順とで行うことができる。また、回路部品を表示パネル４０の電極の入力端子の直近に配置することができるため、配線による電流損失や出力電圧波形のリンギングも抑えられ、表示パネルの大型化なども容易となる。
【実施例３】
【００４５】
図６は、本発明の第３の実施例としてのプラズマディスプレイ装置における表示パネルの電極を駆動する電極駆動回路の説明図である。電極駆動回路以外の部分の構成、作用は、上記第１の実施例の場合と同じであるとする。
上記第１の実施例及び第２の実施例では、２個の電極駆動回路６０Ｙ、６０Ｘと２個の電力回収回路３０Ｙ、３０Ｘを用い、一方の電力回収回路３０Ｙを、第１のＹ電極駆動回路１０Ｙｏの出力端側と第２のＹ電極駆動回路１０Ｙｅの出力端との間に接続し、表示パネル４０内の奇数番目のＹ電極（Ｙ奇数電極）の駆動時と偶数番目のＹ電極（Ｙ偶数電極）の駆動時とで共用し、また、他方の電力回収回路３０Ｘを、第１のＸ電極駆動回路１０Ｘｏの出力端側と第２のＸ電極駆動回路１０Ｘｅの出力端との間に接続し、表示パネル４０内の奇数番目のＸ電極（Ｘ奇数電極）の駆動時と偶数番目のＸ電極（Ｘ偶数電極）の駆動時とで共用する構成としているのに対し、本第３の実施例は、１個の電極駆動回路６０ＸＹと１個の電力回収回路３０Ｙを用い、該電力回収回路３０Ｙを、電極駆動回路６０ＸＹ内の第１のＹ電極駆動回路１０ＸＹｏの出力端側と第２のＹ電極駆動回路１０ＸＹｅの出力端との間に接続し、表示パネル４０内の奇数番目のＹ電極（Ｙ奇数電極）の駆動時と偶数番目のＹ電極（Ｙ偶数電極）の駆動時とで共用し、該両電極間で電荷のやり取りを行えるようにするとともに、表示パネル４０内の奇数番目のＸ電極（Ｘ奇数電極）の駆動時と偶数番目のＸ電極（Ｘ偶数電極）の駆動時とにおいても該電力回収回路３０Ｙを共用して該両電極間でも電荷のやり取りを行える構成である。さらに、本第３の実施例では、第１のＹ電極駆動回路１０ＸＹｏを、Ｙ奇数電極の駆動とＸ偶数電極の駆動とに共用し、第２のＹ電極駆動回路１０ＸＹｅを、Ｙ偶数電極の駆動とＸ奇数電極の駆動とに共用した構成である。すなわち、上記第１のＹ電極駆動回路１０ＸＹｏは、上記第１の実施例及び上記第２の実施例において、Ｙ奇数電極を駆動する第１のＹ電極駆動回路１０Ｙｏを、Ｘ偶数電極を駆動する第２のＸ電極駆動回路１０Ｘｅに共用した構成のものであり、上記第２のＹ電極駆動回路１０ＸＹｅは、上記第１の実施例及び上記第２の実施例において、Ｙ偶数電極を駆動する第２のＹ電極駆動回路１０Ｙｅを、Ｘ奇数電極を駆動する第１のＸ電極駆動回路１０Ｘｏに共用した構成のものである。該第１のＹ電極駆動回路１０ＸＹｏ、該第２のＹ電極駆動回路１０ＸＹｅ及び上記電力回収回路３０Ｙの、Ｘ電極（Ｘ奇数電極及びＸ偶数電極）側への接続は、２個のスイッチ１０ｘｙによって行う。
【００４６】
電力回収回路３０Ｙは、一方向性のダイオード８ｘｙと電路をオン・オフするスイッチ４ｘｙが並列接続された第１の双方向スイッチと、インダクタンスを形成するコイル９ｘｙと、一方向性のダイオード7ｘｙと電路をオン・オフするスイッチ３ｘｙが並列接続された第２の双方向スイッチとを直列接続した構成を有する。上記第１の双方向スイッチは、上記コイル９ｘｙに対し、上記第１のＹ電極駆動回路１０ＸＹｏ側に接続され、上記第２の双方向スイッチは、上記コイル９ｘｙに対し、上記第２のＹ電極駆動回路１０ＸＹｅ側に接続される。該電力回収回路３０Ｙは、上記第１の双方向スイッチ側において上記第１のＹ電極駆動回路１０ＸＹｏの出力端側に接続され、上記第２の双方向スイッチ側において上記第２のＹ電極駆動回路１０ＸＹｅの出力端側に接続される。これら第１、第２の双方向スイッチにおいて、スイッチ３ｘｙ、４ｘｙはそれぞれ、コイル９ｘｙによる充放電経路の切替えを行い、ダイオード7ｘｙ、８ｘｙはそれぞれ、逆方向電流が流れるのを阻止する。電力回収回路３０Ｙ内において、コイル９ｘｙの両側に直列に接続されたこれら第１、第２の双方向スイッチは、維持放電駆動の前後の期間において、第１のＹ電極駆動回路１０ＸＹｏの駆動電圧と第２のＹ電極駆動回路１０ＸＹｅの駆動電圧の高さ関係に対応して、該コイル９ｘｙと、Ｙ奇数電極、Ｙ偶数電極との間でやり取りする電荷の移動方向を、それぞれのスイッチ３ｘｙ、４ｘｙを交互にオン・オフさせることより切替える。これにより、電力回収回路３０Ｙは、表示パネル４０内のパネル容量Ｃ１、Ｃ３、Ｃ５…Ｃ２ｎ-１の奇数電極容量群の電荷を、パネル容量Ｃ２、Ｃ４、Ｃ６…Ｃ２ｎの偶数電極容量群側に転送したり、逆に、パネル容量Ｃ２、Ｃ４、Ｃ６…Ｃ２ｎの偶数電極容量群の電荷を、パネル容量Ｃ１、Ｃ３、Ｃ５…Ｃ２ｎ-１の奇数電極容量群に転送したりする。該転送動作は繰り返し行われる。このように、電力回収回路３０Ｙは、Ｙ奇数電極、Ｙ偶数電極との間で電荷をやり取りさせ、両電極間の電力の回収、供給を行う。
【００４７】
図７は、図６の電極駆動回路の動作説明用の各部の動作波形図である。
図７において、（ａ）は、Ｘ奇数電極（Ｘ１）、Ｘ偶数電極（Ｘ２）、Ｙ奇数電極（Ｙ１）及びＹ偶数電極（Ｙ２）の駆動電圧波形、（ｂ）は、電極駆動回路６０ＸＹ内の各スイッチの動作タイミング波形である。図７では、Ｘ奇数電極を電極Ｘ１で代表させ、Ｘ偶数電極を電極Ｘ２で代表させ、Ｙ奇数電極を電極Ｙ１で代表させ、Ｙ偶数電極を電極Ｙ２で代表させている。
【００４８】
図７において、奇数フィールドでは、２個のスイッチ１０ｘｙを、その各電路をオン状態にして、スイッチ５ｘｙを電路オンの状態にして電極Ｙ２及び電極Ｘ１に低い電圧Ｖｓ２を印加し、かつ、スイッチ２ｘｙをその電路をオン状態にして電極Ｙ１及び電極Ｘ２に高い電圧Ｖｓ１（Ｖｓ１＞Ｖｓ２）を印加して、電極Ｘ１と電極Ｙ１間及び電極Ｘ２と電極Ｙ２間において維持放電を行わせる。この時、電極Ｘ１と電極Ｙ２の間及び電極Ｘ２と電極Ｙ１の間の電位差はゼロで該それぞれの両電極が同電位に設定されているため、該それぞれの両電極間では維持放電は行われない。奇数フィールド内における次の周期では、これらの電圧を反転させ、第２の電極駆動回路１０ＸＹｅ内のスイッチ６ｘｙをオン状態にして電極Ｘ１及び電極Ｙ２に高い電圧Ｖｓ１を印加し、第１の電極駆動回路１０ＸＹｏ内のスイッチ１ｘｙをその電路をオン状態にして電極Ｙ１及び電極Ｘ２に低い電圧Ｖｓ２を印加して、やはり、電極Ｘ１と電極Ｙ１間及び電極Ｘ２と電極Ｙ２間において維持放電を行わせる。この時も、電極Ｘ１と電極Ｙ２の間及び電極Ｘ２と電極Ｙ１の間の電位差はゼロで該それぞれの両電極が同電位に設定されているため、該それぞれの両電極間では維持放電は行われない。
【００４９】
偶数フィールドでは、２個のスイッチ１０ｘｙは電路オン状態のまま、第１の電極駆動回路１０ＸＹｏ内のスイッチ２ｘｙを電路をオン状態にして電極Ｙ１及び電極Ｘ２に高い電圧Ｖｓ１を印加し、第２の電極駆動回路１０ＸＹｅ内のスイッチ５ｘｙをその電路をオン状態にして電極Ｙ２及び電極Ｘ１には低い電圧Ｖｓ２を印加し、電極Ｘ２と電極Ｙ１間及び電極Ｘ２と電極Ｙ２間において維持放電を行わせる。この時、電極Ｘ１とＹ１の間及び電極Ｘ２とＹ２の間の電位差はゼロで該それぞれの両電極が同電位に設定されているため、該それぞれの両電極間では維持放電は行われない。偶数フィールド内において次の周期では、これらの電圧を反転し、第１の電極駆動回路１０ＸＹｏ内のスイッチ１ｘｙをその電路をオン状態にして電極Ｙ１及び電極Ｘ２に低い電圧Ｖｓ２を印加し、第２の電極駆動回路１０ＸＹｅ内のスイッチ６ｘｙをその電路をオン状態にして電極Ｙ２及び電極Ｘ１には低い電圧Ｖｓ２を印加して、やはり、電極Ｘ２と電極Ｙ１間及び電極Ｘ２と電極Ｙ２間において維持放電を行わせる。この時も、電極Ｘ１とＹ１の間及び電極Ｘ２とＹ２の間の電位差はゼロで、該それぞれの両電極が同電位に設定されているため、該それぞれの両電極間では維持放電は行われない。
なお、上記において、低い電圧Ｖｓ２は、接地電位（グランドレベル）であってもよいし、マイナス電位であってもよい。
【００５０】
以下、電力回収回路につき、図７を用いて説明する。
Ｘ電極、Ｙ電極が図７の（ａ）の波形の駆動電圧で駆動される場合における電力回収回路３０Ｙの動作を、電極駆動回路６０ＸＹ内のスイッチ１ｘｙ〜６ｘｙの動作タイミングにおける各タイミング期間毎に説明する。
【００５１】
ｔ１期間：
維持放電期間のうち、奇数フィールド期間では、奇数番目のパネル表示ラインである奇数ラインを点灯させるために、先ず、Ｙ奇数電極（以下、Ｙ１電極で代表させるものとする）とＸ偶数電極（以下、Ｘ２電極で代表させるものとする）に高い電圧Ｖｓ１を印加し、Ｘ奇数電極（以下、Ｘ１電極で代表させるものとする）とＹ偶数電極（以下、Ｙ２電極で代表させるものとする）には低い電圧Ｖｓ２を印加する、または、該Ｘ奇数電極と該Ｙ偶数電極を電圧Ｖｓ２にする（電圧Ｖｓ１＞電圧Ｖｓ２）。該電圧Ｖｓ２は接地電位（グランドレベル）であってもよいし、マイナス電位であってもよい。
ｔ１期間は、上記電圧の立ち上げ期間であり、該ｔ１期間においては、Ｙ電極側では、Ｙ１電極に、電力回収回路３０Ｙのコイル９ｘｙからスイッチ４ｘｙを介して電力が供給される。すなわち、Ｙ電極側では、Ｙ２電極がダイオード7ｘｙを介してコイル９ｘｙに接続されており、Ｙ２電極側のパネル容量とコイル９ｘｙとの共振によりコイル９ｘｙ内に充電された電荷は、電力回収回路３０Ｙ内のスイッチ４ｙが電路をオン状態にすることによって、Ｙ１電極側に転送される。このｔ１期間では、第１の電極駆動回路１０ＸＹｏ内のスイッチ１ｘｙ、２ｘｙは電路を全てオフ状態にしており、同様に、第２の電極駆動回路１０ＸＹｅ内のスイッチ５ｘｙ、６ｘｙ及び電力回収回路３０Ｙ内のスイッチ３ｘｙは電路を全てオフ状態にしている。このため、Ｙ２電極の電荷は、コイル９ｘｙに、電流がゼロになるまで転送される。また、ｔ１期間においては、２つのスイッチ１０ｘｙも電路をオンの状態にしており、このため、Ｘ電極側では、Ｘ２電極に、電力回収回路３０Ｘのコイル９ｘｙからスイッチ４ｘｙを介して電力が供給される。すなわち、Ｘ電極側では、Ｘ１電極がダイオード７ｘｙを介してコイル９ｘｙに接続されており、Ｘ１電極側のパネル容量とコイル９ｘｙとの共振によりコイル９ｘｙ内に充電された電荷は、電力回収回路３０Ｘ内のスイッチ４ｘｙが電路をオン状態にすることによって、Ｘ２電極側に転送される。このとき、Ｘ１電極の電荷も、コイル９ｘｙに、電流ゼロとなるまで転送される。
上記により、Ｙ２電極から電力が電力回収回路３０Ｙに回収され、該回収された電力はＹ１電極に供給され、また、Ｘ１電極から電力が電力回収回路３０Ｘに回収され、該回収された電力はＸ２電極に供給される。
【００５２】
ｔ２期間：
ｔ２期間では、Ｙ１電極とＸ２電極とに高い電圧Ｖｓ１を印加し、Ｙ２電極とＸ１電極とを低い電圧Ｖｓ２の状態にする。すなわち、Ｙ電極側では、電極駆動回路６０ＸＹ内において、第１の電極駆動回路１０ＸＹｏのスイッチ２ｘｙが電路をオン状態にして電圧Ｖｓ１をＹ１電極及びＸ２電極に印加し、また、第２の電極駆動回路１０ＸＹｅのスイッチ５ｘｙが電路をオン状態にしてＹ２電極及びＸ１電極を電圧Ｖｓ２の状態にする。これによって、Ｙ１電極とＸ１電極との間及びＹ２電極とＸ２電極との間で維持放電が行われる。電力回収回路３０Ｙ内のスイッチ３ｘｙ、４ｘｙは電路オフの状態にある。
【００５３】
ｔ３期間：
ｔ３期間は、Ｙ１電極及びＸ２電極への印加電圧が立ち下がる期間である。この期間では、表示パネル４０に蓄積された電荷を電力回収回路３０Ｙで回収する。すなわち、Ｙ電極側では、電極駆動回路６０ＸＹ内において、第１の電極駆動回路１０ＸＹｏのスイッチ２ｘｙが電路をオフ状態にし、電力回収回路３０Ｙのスイッチ３ｘｙが電路をオン状態にして、電力回収回路３０ＹがＹ２電極に接続されるようにする。これによって、Ｙ１電極の電荷が、電力回収回路３０Ｙにより回収され、回収された電荷はＹ２電極に供給される。すなわち、Ｙ１電極の電荷は、ダイオード８ｘｙを通してコイル９ｘｙに回収され、さらに、該コイル９ｘｙに回収された電荷はスイッチ３ｘｙを通してＹ２電極に供給される。このように、Ｙ１電極から電力回収回路３０Ｙに電力が回収されＹ２電極に供給される。また、該ｔ３期間では、２つのスイッチ１０ｘｙも電路オンの状態にあるため、Ｘ２電極の電荷が、ダイオード８ｘｙを通してコイル９ｘｙに回収され、さらに、該コイル９ｘｙに回収された電荷はスイッチ３ｘｙを通してＸ１電極に供給される。このように、Ｘ２電極から電力が電力回収回路３０Ｙに回収されＸ１電極に供給される。
【００５４】
ｔ４期間：
ｔ４期間は、Ｙ１電極、Ｘ２電極、Ｙ２電極、Ｘ１電極のそれぞれに印加する電圧を反転させるサイクルに入る。すなわち、Ｙ１電極とＸ２電極を電圧Ｖｓ２とし、Ｘ１電極とＹ２電極に電圧Ｖｓ１を印加するサイクルとなる。
【００５５】
ｔ５期間：
ｔ５期間は、このサイクルの立ち上げ期間である。該ｔ５期間では、電力回収回路３０ＹからＹ１電極とＸ２電極とに電力を供給する。すなわち、Ｙ電極側では、電極駆動回路６０ＸＹ内において、第２の電極駆動回路１０ＸＹｅのスイッチ６ｘｙが電路をオフ状態にし、電力回数回路３０Ｙのスイッチ４ｘｙが電路をオン状態にして、電力回収回路３０ＹがＹ１電極に接続されるようにする。これによって、Ｙ２電極の電荷が、電力回収回路３０Ｙにより回収され、回収された電荷はＹ１電極に供給される。すなわち、Ｙ２電極の電荷は、ダイオード７ｘｙを通してコイル９ｘｙに回収され、さらに、該コイル９ｘｙに回収された電荷はスイッチ４ｘｙを通してＹ１電極に供給される。このように、Ｙ２電極から電力回収回路３０Ｙに電力が回収されＹ１電極に供給される。また、Ｘ電極側では、Ｘ１電極の電荷が、電力回収回路３０Ｘにより回収され、回収された電荷はＸ２電極に供給される。すなわち、Ｘ１電極の電荷は、ダイオード７ｘｙを通してコイル９ｘｙに回収され、さらに、該コイル９ｘｙに回収された電荷はスイッチ４ｘｙを通してＸ２電極に供給される。このように、Ｘ１電極から電力回収回路３０Ｘに電力が回収されＸ２電極に供給される。
【００５６】
ｔ６期間：
ｔ６期間では、Ｙ１電極とＸ２電極に高い電圧Ｖｓ１を印加し、Ｙ２電極とＸ１電極を低い電圧Ｖｓ２の状態にする。すなわち、本ｔ６期間では、上記ｔ２期間の場合と同様、Ｙ電極側では、電極駆動回路６０ＸＹ内において、第１の電極駆動回路１０ＸＹｏのスイッチ２ｘｙが電路をオン状態にして電圧Ｖｓ１をＹ１電極及びＸ２電極に印加し、また、第２の電極駆動回路１０ＸＹｅのスイッチ５ｘｙが電路をオン状態にしてＹ２電極及びＸ１電極を電圧Ｖｓ２の状態にする。電力回収回路３０Ｙ内のスイッチ３ｙ、４ｙは電路オフの状態にある。また、Ｘ電極側では、Ｘ電極駆動回路６０Ｘ内において、第２のＸ電極駆動回路１０Ｘｅのスイッチ６ｘが電路をオン状態にして電圧Ｖｓ１をＸ２電極に印加し、また、第１のＸ電極駆動回路１０Ｘｏのスイッチ１ｘが電路をオン状態にしてＸ１電極を電圧Ｖｓ２の状態にする。これによって、Ｙ１電極とＸ１電極との間及びＹ２電極とＸ２電極との間で維持放電が行われる。電力回収回路３０Ｘ内のスイッチ３ｘ、４ｘは電路オフの状態にある。
【００５７】
ｔ７期間：
ｔ７期間は、Ｙ１電極及びＸ２電極への印加電圧が立ち下がる期間である。この期間でも、表示パネル４０に蓄積された電荷を電力回収回路３０Ｙで回収する。すなわち、上記ｔ３期間の場合と同様、Ｙ電極側では、電極駆動回路６０ＸＹ内において、第１の電極駆動回路１０ＸＹｏのスイッチ２ｘｙが電路をオフ状態にし、電力回収回路３０Ｙのスイッチ３ｘｙが電路をオン状態にして、電力回収回路３０ＹがＹ２電極に接続されるようにする。これによって、Ｙ１電極の電荷が、電力回収回路３０Ｙにより回収され、回収された電荷はＹ２電極に供給される。すなわち、Ｙ１電極の電荷は、ダイオード８ｘｙを通してコイル９ｘｙに回収され、さらに、該コイル９ｘｙに回収された電荷はスイッチ３ｘｙを通してＹ２電極に供給される。このように、Ｙ１電極から電力回収回路３０Ｙに電力が回収されＹ２電極に供給される。また、Ｘ電極側では、Ｘ２電極の電荷が、電力回収回路３０Ｘにより回収され、回収された電荷はＸ１電極に供給される。すなわち、Ｘ２電極の電荷は、ダイオード８ｘｙを通してコイル９ｘｙに回収され、さらに、該コイル９ｘｙに回収された電荷はスイッチ３ｘｙを通してＸ１電極に供給される。このように、Ｘ２電極から電力回収回路３０Ｙに電力が回収されＸ１電極に供給される。
【００５８】
奇数フィールド期間内において、ｔ７期間以降、維持放電は繰り返し行われることになる。偶数フィールド期間では、インターレース動作で点灯ラインを切替える必要があり、Ｘ１電極とＸ２電極の位相を奇数フィールドから半周期ずらす（半周期進ませるまたは遅らせる）ことになるが、これについてもＸ電極側のスイッチタイミングを変えるだけで対応可能である。
【００５９】
上記本発明の第３の実施例によっても、電力回収回路３０Ｙを、表示パネル４０内の奇数番目の電極の駆動時と偶数番目の電極の駆動時とで共用することができ、電極駆動回路内の電力回収回路数を減らして１個にでき、電子部品数や基板面積を大幅に減らすことが可能となり、回路コストの増大や設置スペースの増大を抑えられる。これによって、小型で低コストの電力回収回路により無効消費電力の削減化が可能なプラズマディスプレイ装置を提供することが可能となる。また、電力回収回路３０Ｙの、Ｙ電極、Ｘ電極への接続を、スイッチ３ｘｙ、４ｘｙ、１０ｘｙにより交互に切替えることで電力回収が可能なため、該電力回収を簡単な回路構成と簡単な制御手順とで行うことができる。また、回路部品を表示パネル４０の電極の入力端子の直近に配置することができるため、配線による電流損失や出力電圧波形のリンギングも抑えられ、表示パネルの大型化なども容易となる。電力回収回路３０Ｙの稼動率も従来の電力回収回路よりも大幅に向上させることができる。
【００６０】
なお、上記各実施例では、Ｘ電極、Ｙ電極に駆動電圧Ｖｓ１及びＶｓ２を与えるとしたが、＋Ｖｓ及び−Ｖｓの電圧を駆動電圧として印加するようにしてもよい。また、電力回収動作は、維持放電期間以外であっても、高電圧状態と低電圧状態の関係が電極間に形成される期間であれば、すなわち、電極間に電位差が発生する期間であれば、初期化期間や予備放電期間にも実施させることが可能である。また、これらの期間に、予めコイルに予備充電を行うことも可能である。
また、上記各実施例は、ＡＬＩＳ方式のプラズマディスプレイ装置の場合であるが、本発明はこれに限定されることなく、隣接したＸ電極、Ｙ電極間の組合わせを時間的に変え該両電極間で維持放電を行わせる表示方式のプラズマディスプレイ装置であれば適用可能である。
【図面の簡単な説明】
【００６１】
【図１】第１の実施例としてのプラズマディスプレイ装置の全体構成図である。
【図２】図１のプラズマディスプレイ装置における表示パネルの電極を駆動する電極駆動回路の説明図である。
【図３】図２の電極駆動回路の動作説明用の電圧波形図である。
【図４】図１のプラズマディスプレイ装置における表示パネル電極の駆動電圧及び駆動電流の波形及びタイミングの説明図である。
【図５】本発明の第２の実施例としてのプラズマディスプレイ装置における電極駆動回路の説明図である。
【図６】本発明の第３の実施例としてのプラズマディスプレイ装置における電極駆動回路の説明図である。
【図７】図６の電極駆動回路の動作説明用波形図である。
【符号の説明】
【００６２】
１ｘ、１ｙ、１ｘｙ、２ｘ、２ｙ、２ｘｙ、３ｘ、３ｙ、３ｘｙ、４ｘ、４ｙ、４ｘｙ、５ｘ、５ｙ、５ｘｙ、６ｘ、６ｙ、６ｘｙ、１０ｘｙ、２１…スイッチ、
７ｘ、７ｙ、８ｘ、８ｙ、７ｘｙ、８ｘｙ…ダイオード、
９ｘ、９ｙ、９ｘｙ…コイル、
１０Ｘｏ…第１のＸ電極駆動回路、
１０Ｘｅ…第２のＸ電極駆動回路、
１０Ｙｏ…第１のＹ電極駆動回路、
１０Ｙｅ…第２のＹ電極駆動回路、
１０ＸＹｏ…第１の電極駆動回路、
１０ＸＹｅ…第２の電極駆動回路、
２０…スキャン駆動回路、
２１…スイッチ、
３０Ｘ、３０Ｙ…電力回収回路、
４０…表示パネル、
４１…Ｘ電極、
４２…Ｙ電極、
４３…アドレス電極、
５０…アドレス回路、
６０Ｘ…Ｘ電極駆動回路、
６０Ｙ…Ｙ電極駆動回路、
６０ＸＹ…電極駆動回路、
７０…駆動制御回路、
７１…サステイン駆動信号発生回路、
８０…画像信号処理回路。
【図１】
2008216895.tif 000003
【図２】
2008216895.tif 000004
【図３】
2008216895.tif 000005
【図４】
2008216895.tif 000006
【図５】
2008216895.tif 000007
【図６】
2008216895.tif 000008
【図７】
2008216895.tif 000009